(57)【特許請求の範囲】
【請求項１】
少なくとも第１及び第２の光弁（１０５）を有するディスプレイ（２１１）を動作させるための方法であって、各光弁（１０５）がピクセル（２０７、２０８、２０９）を備えており、
ある第１の時間期間中に、前記ディスプレイにおいて、前記第１の光弁（１０５ａ）の各ピクセルによって第１の色の光を制御し、前記第２の光弁（１０５ｂ）の各ピクセルによって第２の色の光を制御するステップと、
後続の第２の時間期間に、前記第１の色の光及び前記第２の色の光をシフトして（１０４）、前記第２の色の光が前記第１の光弁（１０５ａ）の各ピクセルによって制御され、前記第１の色の光が前記第２の光弁（１０５ｂ）の各ピクセルによって制御されるようにするステップと、
前記第１及び２の光弁の一方に欠陥ピクセルがある場合に、他方の光弁中の該欠陥ピクセルに対応するピクセルによって前記第１、第２の時間期間中にそれぞれ制御された前記光の強度を補正し、該強度が補正されたそれぞれの光を、前記ディスプレイの対応するピクセルに順次照射することによって、前記欠陥ピクセルを補償するステップ
を含む、方法。
【請求項２】
少なくとも第１、第２及び第３の光弁を有するディスプレイ（２１１）を動作させるための方法であって、各光弁がピクセル（２０７、２０８、２０９）を有しており、
ある第１の時間期間中に、前記ディスプレイにおいて、前記第１の光弁（１０５ａ）の各ピクセルによって第１の色の光を制御し、前記第２の光弁（１０５ｂ）の各ピクセルによって第２の色の光を制御し、前記第３の光弁（１０５ｃ）の各ピクセルによって第３の色の光を制御するステップと、
前記第１、第２及び第３の色の光をシフトして、前記第１の時間期間に後続する第２の時間期間中に、前記第３の色の光が前記第１の光弁の各ピクセルによって制御され、前記第１の色の光が前記第２の光弁の各ピクセルによって制御され、前記第２の色の光が前記第３の光弁の各ピクセルによって制御されるようにするステップと、
前記第１、第２、第３の光弁によってそれぞれ制御された前記第３、第１、第２の色の光をシフトして、前記第２の時間期間に後続する第３の時間期間中に、前記第２の色の光が前記第１の光弁の各ピクセルによって制御され、前記第３の色の光が前記第２の光弁の各ピクセルによって制御され、前記第１の色の光が前記第３の光弁の各ピクセルによって制御されるようにするステップと、
前記第１乃至第３のいずれかの１つの光弁に欠陥ピクセルがある場合に、他の２つの前記光弁中の該欠陥ピクセルに対応するピクセルによって前記第１の時間期間中にそれぞれ制御された前記光と、前記他の２つの前記光弁中の該欠陥ピクセルに対応するピクセルによって前記第２の時間期間中にそれぞれ制御された前記光と、前記他の２つの前記光弁中の該欠陥ピクセルに対応するピクセルによって前記第３の時間期間中にそれぞれ制御された前記光の強度を補正し、該強度が補正されたそれぞれの光を、前記ディスプレイの対応するピクセルに順次照射することによって、前記欠陥ピクセルを補償するステップ
を含む、方法。
【請求項３】
複数の前記時間期間にわたって、前記第１の色の光及び前記第２の色の光が、それぞれ、前記第１の光弁（１０５ａ）及び前記第２の光弁（１０５ｂ）のそれぞれによって制御される、請求項１の方法。
【請求項４】
前記ディスプレイ（２１１）の欠陥ピクセルを識別するステップをさらに含む、請求項１乃至３のいずれかの方法。
【請求項５】
少なくとも第１（１０５ａ）及び第２の光弁（１０５ｂ）を有するディスプレイ（２１１）を動作させるためのシステム（１００）であって、各光弁（１０５）がピクセル（２０７、２０８、２０９）を備えており、
第１の色の光を供給するための第１の光源、及び、第２の色の光を供給するための第２の光源と、
ある第１の時間期間中、前記第１の色の光によって前記第１の光弁（１０５ａ）の各ピクセルを照射し、前記第２の色の光によって前記第２の光弁（１０５ｂ）の各ピクセルを照射するための手段（１０４）
を備え、
前記第１の色の光と前記第２の色の光をシフトして、前記第１の時間期間に後続する第２の時間期間中に、前記第２の色の光が前記第１の光弁（１０５ａ）の各ピクセルを照射し、前記第１の色の光が前記第２の光弁（１０５ｂ）の各ピクセルを照射し、前記第１及び２の光弁の一方に欠陥ピクセルがある場合に、前記第１、第２の時間期間中に、他方の光弁中の該欠陥ピクセルに対応するピクセルにそれぞれ照射された前記光の強度を補正し、該強度が補正されたそれぞれの光を、前記ディスプレイの対応するピクセルに順次照射することによって、前記欠陥ピクセルを補償することからなる、システム（１００）。
【請求項６】
少なくとも第１、第２、及び第３の光弁を有するディスプレイ（２１１）を動作させるためのシステム（１００）であって、各光弁（１０５）がピクセル（２０７、２０８、２０９）を有しており、
第１の色の光を供給するための第１の光源、第２の色の光を供給するための第２の光源、及び、第３の色の光を供給するための第３の光源と、
ある第１の時間期間中に、前記第１の色の光によって、前記第１の光弁の各ピクセルを照射し、前記第２の色の光によって前記第２の光弁の各ピクセルを照射し、前記第３の色の光によって、前記第３の光弁の各ピクセルを照射する手段と、
前記第１、第２及び第３の色の光をシフトして、前記第１の時間期間に後続する第２の時間期間中に、前記第３の色の光が前記第１の光弁の各ピクセルを照射し、前記第１の色の光が前記第２の光弁の各ピクセルを照射し、前記第２の色の光が前記第３の光弁の各ピクセルを照射するようにする手段と、
前記第２の時間期間中に前記第１、第２、第３の光弁にそれぞれ照射された前記第３、第１、第２の色の光をシフトして、前記第２の時間期間に後続する第３の時間期間中に、前記第２の色の光が前記第１の光弁の各ピクセルを照射し、前記第３の色の光が前記第２の光弁の各ピクセルを照射し、前記第１の色の光が前記第３の光弁（１０５ｂ）の各ピクセルを照射するようにする手段
を備え、
前記第１乃至第３のいずれかの１つの光弁に欠陥ピクセルがある場合に、前記第１の時間期間中に、他の２つの前記光弁中の該欠陥ピクセルに対応するピクセルにそれぞれ照射された前記光と、前記第２の時間期間中に、前記他の２つの光弁中の該欠陥ピクセルに対応するピクセルにそれぞれ照射された前記光と、前記第３の時間期間中に、前記他の２つの光弁中の該欠陥ピクセルに対応するピクセルにそれぞれ照射された前記光の強度を補正し、該強度が補正されたそれぞれの光を、前記ディスプレイの対応するピクセルに順次照射することによって、前記欠陥ピクセルを補償することからなる、システム（１００）。
【請求項７】
複数の前記時間期間にわたって、前記第１の色の光及び前記第２の色の光が、それぞれ、前記第１の光弁（１０５ａ）及び前記第２の光弁（１０５ｂ）のそれぞれを照射する、請求項５のシステム（１００）。
【請求項８】
前記照射手段（１０４）と通信するコンピュータ（２０２）と、
前記ディスプレイ（２１１）の欠陥ピクセルの位置を識別して、前記コンピュータ（２０２）に伝達するように構成された装置（２０６、２０１）
をさらに備える、請求項５乃至７のいずれかのシステム（１００）。
【発明の詳細な説明】
【０００１】
【発明の属する技術分野】
本発明は、一般に、ディスプレイ・システムに関するものであり、より具体的には、複数光弁式ディスプレイ（multi-light valve display）の欠陥を補償するための方法及びシステムに関するものである。
【０００２】
【従来の技術】
ディスプレイ・システムは、グラフィックス用途、ビデオ・プロジェクタ等を含む、多くの用途において利用されている。これらのディスプレイ・システムは、通常、一体化された光弁を用いて、ディスプレイ・ピクセル（表示ピクセル）のアレイを含むディスプレイ装置に、一般に、赤、緑、及び、青である、いくつかのカラー（色：本明細書では色をカラーとも記載している）を供給する。各ディスプレイ・ピクセルの色は、光弁を駆動する論理回路によって決定され、その結果、コヒーレントな画像がディスプレイ装置に表示される。光弁は、ピクセルのアレイとして視覚化することが可能である。
【０００３】
単一の光弁を用いて、白色光を投射する場合、「膠着（stuck）」ピクセルによって、投射画像に永久的な黒または白のスポットが生じる。膠着ピクセルは、オン状態またはオフ状態に固定化された欠陥ピクセルを表している。オフ状態に膠着したピクセルは、黒に見えるが、オン状態に膠着したピクセルは、最大強度の照射カラーに見える。光弁が、例えば、赤のカラーで照射されると、オンに膠着したピクセルは、最大強度の照射カラー（すなわち、赤）に見え、オフに膠着したピクセルは、黒に見える。現在の製造歩留まりでは、一般に、ディスプレイは、１つ以上の膠着ピクセルを有している。
【０００４】
単一の光弁によってフルカラー表示を実現するため、一般に、順次カラー技法（sequential color technique）が利用される。この技法では、３つの別々の画像が、フルカラーフレームのそれぞれについて、すなわち、赤、青、及び、緑の部分画像について１つずつ表示される。しかし、順次表示を用いて、大形画像を投射すると、目の急速な「衝動性の（saccadic）」運動すなわち突発的な運動によって、見る人に、カラーバンディングアーティファクト（色縞模様のアーティファクト）が見える可能性がある。この効果は、カラー・フィールドと動いている網膜とのミスアライメントによって生じる。
【０００５】
これらの順次カラー方式によるカラーアーティファクトを除去するため、大形ディスプレイでは、複数の光弁を用いるのが普通である。赤、緑、及び、青の画像を、３つの異なる光弁から同時に投射する場合には、急速な目の運動によって生じるカラーアーティファクトがほぼ除去される。下記の表１に、従来の複数光弁式ディスプレイのタイミング・スケジュールを示す。
【０００６】
【表１】
0004641611.tif 000002
【０００７】
こうしたシステムでは、光弁の各ピクセルからの光を利用して、ディスプレイの対応するピクセルを照射し、各ディスプレイ・ピクセルが、各光弁における対応するピクセルからの光を受けるようにする。
【０００８】
あいにく、こうしたシステムでは、特定の光弁における任意の１つのピクセルに欠陥があると、故障のある光弁のピクセルに対応するディスプレイ・ピクセルにおいて得られる色域が劣化する。このため、ディスプレイ・ピクセルにカラー・シフトが生じる。例えば、光弁１、すなわち、赤の光弁に故障したピクセルがあれば、緑と青の間のどこかに位置する対応するディスプレイ・ピクセルのカラーが制限され、対応するディスプレイ・ピクセルは、赤成分を表示できなくなるであろう。
【０００９】
【発明が解決しようとする課題】
従って、本発明の目的は、光弁の１つ以上における故障ピクセルの補償を可能にする複数光弁式ディスプレイを提供することにある。
【００１０】
【課題を解決するための手段】
本発明によれば、複数光弁式ディスプレイにおける欠陥を補償するための方法及びシステムが得られる。
【００１１】
本発明は、各々がピクセルを含む光弁を具備するディスプレイを動作させるための方法として概念化することが可能である。この方法には、ある時間期間中に、ディスプレイにおいて、第１の光弁によって第１のカラーの光を制御し、第２の光弁によって第２のカラーの光を制御するステップと、後続の時間期間に、第１のカラーの光及び第２のカラーの光をシフトして、第２のカラーの光が第１の光弁によって制御され、第１のカラーの光が第２の光弁によって制御されるようにするステップが含まれている。
【００１２】
構成上、本発明は、ピクセルを各々が備える光弁を有するディスプレイを動作させるためのシステムである。このシステムには、第１のカラーの光を供給するための第１の光源、第２のカラーの光を供給するための第２の光源、第１の光弁、及び、第２の光弁が含まれている。このシステムには、ある時間期間中、第１のカラーの光によって第１の光弁を照射し、第２のカラーの光によって第２の光弁を照射するように、光弁の照射を規定する照射スケジュールも含まれている。後続の時間期間には、第１のカラーの光と第２のカラーの光がシフトされて、第２のカラーの光によって、第１の光弁が照射され、第１のカラーの光によって、第２の光弁が照射されるようになっている。
【００１３】
本発明には多数の利点があるが、以下に、単なる例示として、そのいくつかについて述べる。
【００１４】
本発明の利点の１つは、ディスプレイにおける目の動きによるアーティファクトが低減または除去されることである。
【００１５】
本発明のもう１つの利点は、光弁アレイの故障ピクセルによって生じる色誤差（または、色エラー）が低減されることである。
【００１６】
本発明のもう１つの利点は、ディスプレイのユーザが、ディスプレイの論理回路によって欠陥ピクセルの位置を識別することが可能になるということである。
【００１７】
本発明のもう１つの利点は、ディスプレイの論理回路により、１つ以上の光弁における欠陥ピクセルを補償することが可能になるということである。
【００１８】
本発明の他の特徴及び利点については、当業者には、添付図面及び詳細な説明を検討することによって明らかになるであろう。それらの他の特徴及び利点も、本発明の範囲内に包含されるべきものである。
【００１９】
【発明の実施の形態】
特許請求の範囲において規定する本発明は、添付図面を参照することによりより十分に理解することができる。本発明の原理を明確に説明することに重点をおいているため、図面の構成要素の相対的な大きさは必ずしも実際のものと一致するとは限らない。
【００２０】
以下の説明のために言及しておくと、光弁（light valve）とは、光源からディスプレイへの光の伝達を制御するものである。一般に、光源からディスプレイへの光の伝達には、光弁による光の通過または反射が必要とされる。制御信号に応答して、光弁は、ディスプレイに伝達される光の強度、従って、ディスプレイの見かけの明るさを、ゼロ〜最大値の範囲内のある値になるように制御する。最大値は、主として、光源の強度によって決まる。
【００２１】
ディスプレイが画像を表示できるようにするため、光弁は、例えば、６４０×４８０のピクセル・アレイといった、正方形または矩形のアレイをなすように配列された光弁ピクセルに分割される。こうした光弁において、各光弁ピクセルは、光源からディスプレイの対応するディスプレイ・ピクセル（表示ピクセル）への光の伝達を制御する。制御信号に応答して、光弁ピクセルは、対応するディスプレイ・ピクセルに伝達される光の強度、従って、ディスプレイ・ピクセルの見かけの明るさをを、ゼロ〜最大値の範囲内のある値になるように制御する。
【００２２】
ディスプレイがカラー画像を表示できるようにするため、ディスプレイは、ｎ色の異なる色の光で照射される。一般に、赤、緑、及び、青といった、組み合わせられると、白色光を形成するカラーが選択される。ディスプレイは、単一の光弁を用いて、ｎ個の異なる色の光で光弁を順次照射するか、または、ｎ個の光弁を利用し、従来式に、各光弁を異なる単一色の光で照射することによって、ｎ個の異なる色の光で照射される。光弁が順次照射される場合には、各光弁ピクセルによって、また、複数の光弁が同時に照射される場合には、対応する光弁ピクセルによって、対応するディスプレイ・ピクセルに対する各カラーによる強度の影響が制御される。
【００２３】
複数光弁システムの場合は、１つの光弁を構成するピクセル・アレイが、単一色の光で照射され、被変調光が、複数の他の単色光弁によって変調された光とアライメントがとれ、かつ、それにオーバーラップしてスクリーンに投射される。３光弁システムの場合は、可視ディスプレイには、各々が、各光弁からの光で照射され、結果として、所望のカラーの画像を生じるディスプレイ・ピクセルが含まれている。
【００２４】
ディスプレイを構成するピクセル・アレイは、各光弁のピクセル・アレイにオーバラップするように重ね合わせられている。従って、ディスプレイの各ピクセルは、各光弁の対応するピクセルによって照射される。
【００２５】
図１は、本発明に従って構成された光弁システム１００を例示した概略図である。光弁システム１００には、回転カラー・フィルタ１０４を照射する光源１０１が含まれている。光源１０１は、散光器（ディフューザー）１０２ａ、１０２ｂ、及び、１０２ｃをそれぞれ介して、その光を投射し、回転カラー・フィルタ１０４の部分１１１、１１２、及び、１１４を照射する。回転カラー・フィルタ１０４の各部分１１１、１１２、及び、１１４には、異なる半径順に配置された赤（Ｒ）、緑（Ｇ）、及び、青（Ｂ）の３つのカラー領域が含まれている。回転カラー・フィルタ１０４の各部分におけるカラー領域は、フィルタ１０４の各部分１１１、１１２、及び、１１４に、３つのカラーが全て含まれ、かつ３つのカラーの順序が異なるように構成されている。カラーの順序は、ディスプレイが、各表示フレームまたは時間期間中に、それぞれのカラーで照射されるように、各光弁毎に互い違いになっている。回転カラー・フィルタ１０４は、フレーム速度（または、フレームレート）で回転し、光源１０１と協働して、光弁１０５に光を投射する。
【００２６】
単一光源１０１として示されているが、代替案として、光源１０１は、複数の純色光源を含むことが可能であり、その場合、散光器１０２ａ、１０２ｂ、及び１０２ｃと、回転カラー・フィルタ１０４が省略され、以下で述べるように、純光源が直接光弁１０５を照射する。こうした実施態様の場合、各純光源は、光弁が異なるカラー（色）の光で照射されるように、適正な順序で各光弁に対するカラーを順次変化させることになる。典型的な実施例には、光弁システム毎に３つの純光源が含まれている。
【００２７】
レンズ１０３は、回転カラー・フィルタ１０４を出た光を光弁１０５のうちの適切な１つに送り込む。回転カラー・フィルタ１０４の順番に配置されたカラー領域は、３つの光弁１０５ａ、１０５ｂ、及び、１０５ｃのそれぞれに対応する。例えば、回転カラー・フィルタ１０４の部分１１１、１１４、及び、１１２のＲ、Ｇ、及び、Ｂ領域をそれぞれ出た光は、レンズ１０３によって光弁１０５ａに送られる。同様に、回転カラー・フィルタ１０４の部分１１１、１１４、及び、１１２のＢ、Ｒ、及び、Ｇ領域をそれぞれ出た光は、レンズ１０３によって光弁１０５ｂに送られる。同様に、回転カラー・フィルタ１０４の部分１１１、１１４、及び、１１２のＧ、Ｂ、及び、Ｒ領域をそれぞれ出た光は、レンズ１０３によって光弁１０５ｃに送られる。
【００２８】
本発明による回転カラー・フィルタ１０４の概念は以下のようなものである。すなわち、光弁のピクセルのどれかが故障することによって、ディスプレイに、固定された最高強度のカラーまたは白色スポットが生じるのを阻止するように、光弁システム１００に含まれる各光弁が、赤、緑、青の３つのカラーのそれぞれによって順次照射される。
【００２９】
以下では、３つのカラーを含む光弁システムについて説明しているが、本発明の原理は、もっと色数の少ないシステムや多いシステムにも適用可能である。
【００３０】
図１を再び参照すると、光源１０１は、回転カラー・フィルタ１０４に向けられ、散光器１０２ａ、１０２ｂ、及び、１０２ｃを出た光は、順次、回転カラー・フィルタ１０４の部分１１１、１１２、及び、１１４に入射する。こうして、３つの光弁１０５ａ、１０５ｂ、及び、１０５ｃのそれぞれが、３つのフレームにわたって光源からの全色域を受けることになる。換言すれば、３フレームの間に、全てのカラーが順次各光弁を照射する。カラーの順序は、各光弁毎に互い違いになるので、ディスプレイは、各表示フレームまたは時間期間中に、各カラーによって照射される。例えば、光弁１０５ａは、赤（Ｒ）、緑（Ｇ）、及び、青（Ｂ）の順で光を受光するが、光弁１０５ｂは、Ｂ、Ｒ、Ｇの順で光を受光し、光弁１０５ｃは、Ｇ、Ｂ、Ｒの順で３色の光を受光する。
【００３１】
光弁１０５ａ、１０５ｂ、及び、１０５ｃによって制御される全てのカラーの光が、次に、組み合わせ装置（コンバイナー）１０６に送られ、３つの光弁のそれぞれからの個別光が組み合わせられて、組み合わせ出力１０７が生じる。この出力は、次に、ディスプレイ（不図示）に送られる。
【００３２】
散光器１０２ａ、１０２ｂ、及び、１０２ｃの代わりに、コリメーティングレンズと拡散器（ディフューザー）の任意の組み合わせを利用して、光弁１０５に光の焦点を合わせることが可能である。さらに、透明光弁を通って投射されるか、または、反射性光弁から反射されて、スクリーンに結像するか、または、適合するアイピースを介して人間の目に映される任意の光源を利用して、本発明の概念を実施することが可能である。
【００３３】
下記の表には、本発明の概念が例示されている。
【００３４】
【表２】
0004641611.tif 000003
【００３５】
表２に例示のスケジュールに従って光弁システム１００を動作させることにより、任意の光弁の特定のピクセルが機能しなくなっても、全色域が、残りの動作する光弁を介して、対応するディスプレイ・ピクセルにおいて利用可能なままとなる。図１に示す３光弁システムの場合、１つの光弁の単一ピクセルがオフ状態で故障した（すなわち機能しなくなった）場合、ピクセル強度を全強度の２／３まで完全に補正することが可能である。同様に、２つの光弁の１ピクセルがオフ状態で故障した場合、全強度の１／３まで補償することが可能である。これは、各ディスプレイ・ピクセルにおいて、全色域を依然として利用可能であるが、故障した光弁のピクセルによって、利用可能な光強度が小さくなるためである。
【００３６】
下記の表３には、ピクセルが光弁１に関してオフ状態で故障した状況の一例が示されている。
【００３７】
【表３】
0004641611.tif 000004
【００３８】
表３に示した上記例において、フレーム１は、赤が欠けており、フレーム２は、青が欠けており、フレーム３は、緑が欠けている。しかし、ピクセルが、フレーム１＋フレーム２＋フレーム３のように、３つのフレームにわたって統合されると、フレーム１、２、及び、３の組み合わせには、赤、青、及び、緑のカラーについてそれぞれ２つのサンプルが含まれることになる。所定のピクセル強度において、このスケジュールによれば、光弁２及び３によって、３つの光弁が全て機能しているが、強度が所定の強度の２／３であるシステムと同じカラーを得ることが可能になる。このピクセルは、まわりのピクセルほど明るくないが、１つのカラー成分が欠損したときのように、それが異なるカラーを示すことになる場合に比べれば目立たない。
【００３９】
表３に関連して上述したように、本発明は、光弁によって制御される光の順序または配列を入れ替え、すなわち、変更し、これにより、各光弁がディスプレイの各カラーを制御するようにするものである。
【００４０】
ここまで述べてきた本発明によれば、各ディスプレイ・ピクセルが、３つの異なる光弁から寄与を受けるように構成され、このため、１つの光弁における１つの欠陥のある（オフ）ピクセルの影響が、他の２つの（正常に）動作する光弁の対応するピクセルによって通常の影響の１／３にまで弱められる、受動補償システムが得られる。
【００４１】
欠陥ピクセルは、表３に関連して上述したように、オフ状態で欠陥を示す可能性もあれば、オン状態で欠陥を示す可能性もある。オン状態で欠陥を示すピクセルは、他の２つの光弁においてプログラムされたピクセルのＲ、Ｇ、Ｂ値を小さくすることによって補償することが可能である。これは、所望のカラー値から１／３の強度の白を減じることによって実施可能である。この補正によって、Ｒ、Ｇ、Ｂの各成分値が少なくとも１／３である全てのカラーが正確に補正されることになる。
【００４２】
この受動補償システムをさらに明らかにするため、下記の表４に、Ｒｘ、Ｇｘ、Ｂｘの強度値を有するディスプレイ・ピクセルが３つのフレームにわたって生成される状況を例示する。
【００４３】
【表４】
0004641611.tif 000005
【００４４】
表４に示すように、この時間サイクル及びピクセルに関する光の全積分値は、次の通りである。
【００４５】
３×Ｒｘ／３＝Ｒｘ
３×Ｇｘ／３＝Ｇｘ
３×Ｂｘ／３＝Ｂｘ
ここで、光弁１におけるこのピクセルがオフ状態で欠陥を示す場合は、表５に示す状況が当てはまる。
【００４６】
【表５】
0004641611.tif 000006
【００４７】
この時間サイクル及びピクセルに関する光の全積分値は、次の通りである：
２×Ｒｘ／３
２×Ｇｘ／３
２×Ｂｘ／３
これは、対象とするピクセルのカラーは正しいが、強度がわずかに小さいことを示している。この状況は、各光弁が単一のカラーだけしか制御しないシステムにおいて問題になる、画像のカラー・シフト・スポット（または、色ずれした点）よりは望ましい。そのようなシステムでは、赤のピクセルが故障すると、ディスプレイには、適正な緑及び青の成分を含むが、赤の成分を含まないスポットが生じることになる。
【００４８】
動画は、連続する時間間隔において順次表示される一連の静止画像（フレーム）に分割される。フレーム１は、Ｔ＝０〜Ｔ＝△Ｔの時間間隔に表示される静止画像と定義され、フレーム２は、Ｔ＝△Ｔ〜Ｔ＝２×△Ｔの時間間隔に表示される第２の画像と定義され、フレームＮは、Ｔ＝（Ｎ−１）×△Ｔ〜Ｔ＝Ｎ×△Ｔの時間間隔に表示されるＮ番目の画像と定義される。
【００４９】
上述したように、これまでに説明した本発明によれば、各カラーで各光弁を順次照射することによって、欠陥ピクセルの視認性を低下させることができるという点で、受動補償システムが得られる。もう１つの実施態様によれば、本発明には、各光弁の欠陥のあるピクセルが表示され、その場所がコンピュータに伝達される、能動補償システムが含まれる。コンピュータには、欠陥のあるピクセルを能動的に補償することができるように、ディスプレイ・ドライバ（表示ドライバ）が含まれている。この実施態様について以下に説明する。
【００５０】
図２は、能動補償システムを含む図１の光弁システム１００を例示したブロック図である。光弁システム１００には、光源１０１ａ、１０１ｂ、及び、１０１ｃが含まれており、各光源が、回転カラー・フィルタ１０４ａ、１０４ｂ、および、１０４ｃにそれぞれ光を供給する。３つの回転カラー・フィルタ１０４ａ、１０４ｂ、および、１０４ｃは、図１の回転カラー・フィルタ１０４に対応する。光源１０１ａによって生じる光は、回転カラー・フィルタ１０４ａを通過して、光弁１０５ａを照射する。１６×１６のピクセル・アレイとして示した光弁１０５ａには、当業者には既知のように、ディスプレイに適した任意の数のピクセルを含めることが可能である。同様に、光弁１０５ｂは、光源１０１ｂによって照射され、光弁１０５ｃは、光源１０１ｃによって照射される。
【００５１】
光弁１０５ａのピクセル２０７、光弁１０５ｂのピクセル２０８、及び、光弁１０５ｃのピクセル２０９が、各光弁の１つのピクセルが、ディスプレイ２１１における同じディスプレイ・ピクセル２１２に対応するところの３つの光弁システムの動作を示している。例示の３つの光弁のそれぞれにおけるピクセル２０７、２０８、及び、２０９の同時照射を組み合わせて、光弁１０５ａ、１０５ｂ、及び、１０５ｃのピクセル２０７、２０８、及び、２０９からの光でディスプレイ・ピクセル２１２をそれぞれ照射する。こうして、ディスプレイ・ピクセル２１２には、オーバーラップした重ね合わせ状態における、ピクセル２０７、２０８及び２０９からの光を含まれる。従って、ディスプレイの各ピクセルは、各光弁における対応するピクセルによって照射される。
【００５２】
図１に関連して上述したように、ピクセル２０７が、例えば、オフ状態で故障した場合、光弁ピクセル２０８及び２０９のそれぞれから利用可能な赤、緑、及び、青の光によって、ディスプレイ・ピクセル２１２は、照度が１／３だけ低下するものの、全色域（この場合、赤、緑、及び、青の任意の組み合わせ）を表示することが可能となる。
【００５３】
本発明の能動補償態様によれば、光弁システム１００は、接続２１７を介してコンピュータ２０２からコマンドを受信する。図２に例示したシステムによれば、ディスプレイ２１１のユーザは、ディスプレイ２１１に欠陥のあるピクセルを表示することが可能になる。コンピュータ２０２は、当業者には既知のディスプレイ・ドライバを備えている。画像ソース（画像発生源）２０４によって、ソース画像がコンピュータ２０２に供給されるが、この画像ソースには、読み取り専用メモリ（ＲＯＭ）、ランダム・アクセス・メモリ（ＲＡＭ）、デジタル・ビデオ・ディスク（ＤＶＤ）入力、従来のテレビ、高品位テレビ（ＨＤＴＶ）、コンピュータ画像、カメラ、または、コンピュータ２０２に入力可能な任意の他の画像ソースを含めることができる。
【００５４】
入力装置２０６は、接続２１６を介してコンピュータ２０２との通信を行う。入力装置２０６は、例えば、キーボード、マウス、または、コンピュータ・ディスプレイとインターフェイスするための他の任意の機構とすることが可能である。入力装置２０６は、基本的に、欠陥ピクセルのあるディスプレイを見ている人が、欠陥のあるピクセルを表示して、欠陥テーブル２０１に入力できるようにする、ユーザ・インターフェイスである。欠陥テーブル２０１は、接続２１４を介してコンピュータ２０２にリンクしている。代替案として、欠陥のあるピクセルを自動的に検出し、その位置をコンピュータ２０２に伝達することも可能である。
【００５５】
次に、能動補償機能の利用について述べることにする。ディスプレイを使用している人は、マウス、キーボード、または、任意の他の入力装置を用いて、ディスプレイに１つ以上の欠陥（故障）ピクセルを表示する。欠陥ピクセルの表示は、画像ソース２０４から受信したテスト・パターンまたはビデオ・データを、接続２１７を介して各光弁１０５ａ、１０５ｂ、及び、１０５ｃに送るコンピュータ２０２によって実施される。代替的には、テスト・パターンは、強度を小さくした、均一な画像フィールドとすることも可能である。最高強度のテスト・パターンは、とりわけ、オフ状態で機能しなくなったピクセルを識別するのに役立ち、一方、強度がゼロのテスト・パターンは、とりわけ、オン状態で機能しなくなったピクセルを識別するのに役立つ。ゼロ強度と最大強度の間の強度を有するテスト・パターンは、いずれかの状態で（または、故障した状態に関係なく）機能しなくなったピクセルを識別するのに使用できることが望ましい。各光弁を用いて、テスト・パターンまたはビデオ・データによるディスプレイの照射が行われ、ディスプレイのユーザが照射されたディスプレイを検分して、各光弁毎に欠陥のあるピクセルを指示するようになっている。テスト・パターンを用いて、順次全ての光弁を照射して、１度につき１つの光弁を介してディスプレイを照射すべきであり、これによって、欠陥のあるピクセルを特定の光弁に対して割り出すことが可能になる。
【００５６】
こうして、各光弁における欠陥のあるピクセルを識別することが可能になる。ユーザが、例えば、光弁１０５ａからだけの照射を受けているディスプレイ２１１を検分し、マウスを用いて、欠陥ピクセルを指示し、それによって、ディスプレイに欠陥ピクセルのｘ、ｙ位置が表示されることになる。表示された欠陥ピクセルの位置は、次に、欠陥テーブル２０１に納められる。例えば、ｘ、ｙ位置１００、５０にある光弁１０５ａの欠陥ピクセルは、オン状態で故障したものとして表示される。同様に、光弁１０５ｂのｘ、ｙ位置２、７にあるピクセルは、オフ状態で故障したものとして表示される。こうして、ユーザは、各光弁１０５ａ、１０５ｂ、及び、１０５ｃについて欠陥ピクセルを検査し、欠陥テーブル２０１に納めるために、コンピュータ２０２に対して欠陥ピクセルを指示する。上記テスト中、任意のカラーを用いて、ディスプレイを照射することが可能である。しかし、緑色に対して、人間の目は最も感度が良いことが分かっている。
【００５７】
欠陥テーブル２０１に含まれる欠陥ピクセル位置に関する情報によって、コンピュータ２０２に配置されたディスプレイ・ドライバは、既知の欠陥ピクセルを能動的に補償することが可能になる。例えば、光弁１０５ａの所与のピクセルが、オフ状態で故障していることが分かっている場合には、表６に示すように補正値を表示することができる。
【００５８】
【表６】
0004641611.tif 000007
【００５９】
こうして、カラーは完全に正しいが、強度が低下した積分値（または、統合値）Ｒｘ、Ｇｘ、Ｂｘが、このピクセル位置に表示される。
【００６０】
３つのカラー、及び、赤、緑、及び、青のカラー・フィルタが特定の方向に連続して回転する回転カラー・フィルタを用いて説明したが、本発明の概念は、カラー数がこれより多いか、または、これより少ない場合でも、また、カラーが上述した方向とは逆方向に並べ換えられるような状況においても同様に機能する。さらに、本発明は、光弁が、回転カラー・フィルタを用いずに、順次カラーを変更することができるカラーソース（色発生源）によって直接照射されるシステムにも適用可能である。さらに、本発明の概念は、複数カラー及び電磁エネルギ波を用いる任意の画像生成用途にも適用可能である。例えば、本発明は、可視光が見る者に示されるような上述したシステムにも適用できるし、異なるカラーの紫外線を用いてフォトレジストを露光するフォトリソグラフィック・システムにも適用可能である。可視光及び／または不可視光を用いるいかなる画像生成用途であれ、本発明の概念から利益を得ることが可能である。
【００６１】
当業者には明らかなように、本発明の原理から逸脱することなく、上述した本発明の望ましい実施態様に対して、多くの修正及び変更を加えることが可能である。例えば、カラーの数がより多いか、または、より少ないシステム、または、波長がより長いか短いシステムが、本発明の概念から利益を得ることができる。さらに、上述した受動及び能動補償方式は、個別に、または、連係して実施することが可能である。かかる修正及び変更は全て、特許請求の範囲で規定した本発明の範囲内に含まれるべきものである。
【００６２】
以下においては、本発明の種々の構成要件の組み合わせからなる例示的な実施態様を示す。
１．光弁（１０５）を有するディスプレイ（２１１）を動作させるための方法であって、各光弁（１０５）がピクセル（２０７、２０８、２０９）を備えており、
ある時間期間中に、前記ディスプレイにおいて、第１の光弁（１０５ａ）によって第１の色の光（１０２ａ）を制御し、第２の光弁（１０５ｂ）によって第２の色の光（１０２ｂ）を制御するステップと、
後続の時間期間に、前記第１の色の光（１０２ａ）及び前記第２の色の光（１０２ｂ）をシフトして（１０４）、前記第２の色の光（１０２ｂ）が前記第１の光弁（１０５ａ）によって制御され、前記第１の色の光（１０２ａ）が前記第２の光弁（１０５ｂ）によって制御されるようにするステップ
を含む、方法。
２．前記時間期間に第３の色の光（１０２ｃ）を制御するステップであって、前記第１の色の光（１０２ａ）、前記第２の色の光（１０２ｂ）、及び、前記第３の色の光（１０２ｃ）をシフトして（１０４）、前記第１の色の光（１０２ａ）が前記第２の光弁（１０５ｂ）によって制御され、前記第２の色の光（１０２ｂ）が第３の光弁（１０５ｃ）によって制御され、前記第３の色の光（１０２ｃ）が前記第１の光弁（１０５ａ）によって制御されるようにすることからなる、ステップをさらに含む、上項１の方法。
３．複数の前記時間期間にわたって、前記第１の色の光（１０２ａ）及び前記第２の色の光（１０２ｂ）が、それぞれ、前記第１の光弁（１０５ａ）及び前記第２の光弁（１０５ｂ）のそれぞれによって制御される、上項１の方法。
４．前記ディスプレイ（２１１）の欠陥ピクセルを識別するステップをさらに含む、上項１の方法。
５．残りの光弁（１０５）を使用して、前記欠陥ピクセルを補償するステップをさらに含む、上項４の方法。
６．光弁（１０５）を有するディスプレイ（２１１）を動作させるためのシステム（１００）であって、各光弁（１０５）がピクセル（２０７、２０８、２０９）を備えており、
第１の色の光（１０２ａ）を供給するための第１の光源、及び、第２の色の光（１０２ｂ）を供給するための第２の光源と、
第１の光弁（１０５ａ）及び第２の光弁（１０５ｂ）と、
ある時間期間中、前記第１の色の光（１０２ａ）によって前記第１の光弁（１０５ａ）を照射し、前記第２の色の光（１０２ｂ）によって前記第２の光弁（１０５ｂ）を照射するための手段（１０４）
を備え、後続の時間期間に、前記第１の色の光（１０２ａ）と前記第２の色の光（１０２ｂ）をシフトして、前記第２の色の光（１０２ｂ）が前記第１の光弁（１０５ａ）を照射し、前記第１の色の光（１０２ａ）が前記第２の光弁（１０５ｂ）を照射するようにすることからなる、システム（１００）。
７．前記時間期間に、第３の色の光（１０２ｃ）を制御するための手段（１０４）であって、前記第１の色の光（１０２ａ）、前記第２の色の光（１０２ｂ）、及び、前記第３の色の光（１０２ｃ）をシフトして（１０４）、前記第１の色の光（１０２ａ）が前記第２の光弁（１０５ｂ）を照射し、前記第２の色の光（１０２ｂ）が第３の光弁（１０５ｃ）を照射し、前記第３の色の光（１０２ｃ）が前記第１の光弁（１０５ａ）を照射するようにする、手段（１０４）をさらに備える、上項６のシステム（１００）。
８．複数の時間期間にわたって、前記第１の色の光（１０２ａ）及び前記第２の色の光（１０２ｂ）が、それぞれ、前記第１の光弁（１０５ａ）及び前記第２の光弁（１０５ｂ）のそれぞれを照射する、上項６のシステム（１００）。
９．前記照射手段（１０４）と通信するコンピュータ（２０２）と、
前記ディスプレイ（２１１）の欠陥ピクセルの位置を識別して、前記コンピュータ（２０２）に伝達するように構成された装置（２０６、２０１）
をさらに備える、上項６のシステム（１００）。
１０．残りの光弁を利用して、前記欠陥ピクセルを補償するための手段をさらに備える、上項９のシステム（１００）。
【００６３】
【発明の効果】
本発明によれば、複数光弁式ディスプレイにおける欠陥を補償するための方法及びシステムが得られる。
【図面の簡単な説明】
【図１】本発明に従って構成された光弁システムを例示した概略図である。
【図２】本発明の別の態様による能動補償システムを含む、図１の光弁システムを例示したブロック図である。
【符号の説明】
１００    光弁システム
１０２ａ  第１の色の光
１０２ｂ  第２の色の光
１０２ｃ  第３の色の光
１０４    照射手段
１０５    光弁
１０５ａ  第１の光弁
１０５ｂ  第２の光弁
１０５ｃ  第３の光弁
２０１    欠陥テーブル
２０２    コンピュータ
２０６    入力装置
２０７〜２０８    ピクセル
２１１    ディスプレイ
【図１】
0004641611.tif 000008
【図２】
0004641611.tif 000009